(57)【要約】      （修正有）【課題】記憶装置の収納ボックスのボディケースに、放熱機能、電気磁気シールド機能及びバッファ機能を持たせるために、ボディケース及びボディケース内側に設置する金属内板をモジュール化することを目的とする。【解決手段】記憶装置９を収納する収納ボックス及びそのボディケース１において、収納ボックスは、ボディケースと前蓋４と後蓋５とを含み、ボディケースは内部に収納空間２３が形成されるケース２と、前記ケースの内側面に設けられ、前記収納空間に伸びる複数の弾性フィン３０が設けられる少なくとも一枚の金属内板３とを備えるようにする。【選択図】図１
0003114924.tif 000002
【実用新案登録請求の範囲】
【請求項１】
内部に収納空間が形成されるケースと、
前記ケースの内側面に設けられ、前記収納空間に伸びる複数の弾性フィンが設けられる少なくとも一枚の金属内板とを備えることを特徴とする記憶装置の収納ボックスのボディケース。
【請求項２】
前記ケースは、上板部と下板部と二枚の側板部とを備え、前記二枚の側板部が上板部と下板部との間に接続し、少なくとも一枚の金属内板は、上板部の内側面に設けることを特徴とする請求項１記載の記憶装置の収納ボックスのボディケース。
【請求項３】
前記ケースは、上板部と下板部と二枚の側板部とを備え、前記二枚の側板部が上板部と下板部との間に接続し、少なくとも一枚の金属内板は、上板部の内側面及び下板部の内側面に設けることを特徴とする請求項１記載の記憶装置の収納ボックスのボディケース。
【請求項４】
前記ケースは、上板部と下板部と二枚の側板部とを備え、前記二枚の側板部が上板部と下板部との間に接続し、少なくとも一枚の金属内板は、上板部の内側面及び二枚の側板部の内側面に設けることを特徴とする請求項１記載の記憶装置の収納ボックスのボディケース。
【請求項５】
前記少なくとも一枚の金属内板の弾性フィンは、複数の長方形の弾性フィンを有することを特徴とする請求項１記載の記憶装置の収納ボックスのボディケース。
【請求項６】
前記少なくとも一枚の金属内板の弾性フィンは、複数の三角形の弾性フィンを有することを特徴とする請求項１記載の記憶装置の収納ボックスのボディケース。
【請求項７】
前記少なくとも一枚の金属内板の弾性フィンは、不規則的に配列されることを特徴とする請求項１記載の記憶装置の収納ボックスのボディケース。
【請求項８】
前記ケースの内側面にはレールガイドが設けられることを特徴とする請求項１記載の記憶装置の収納ボックスのボディケース。
【請求項９】
前記ケースはプラスチック材料で作製されることを特徴とする請求項１記載の記憶装置の収納ボックスのボディケース。
【請求項１０】
前記ケースはゴム材料で作製されることを特徴とする請求項１記載の記憶装置の収納ボックスのボディケース。
【請求項１１】
前端及び後端に前部開口及び後部開口をそれぞれ有する収納空間が内部に形成されるケースと、
前記ケースの内側面に設けられ、前記収納空間に伸びる複数の弾性フィンが設けられる少なくとも一枚の金属内板と、
前記ケースの前部開口に設けられる前蓋と、
前記ケースの後部開口に設けられる後蓋とを備えることを特徴とする記憶装置の収納ボックス。
【請求項１２】
前記ケースは、上板部と下板部と二枚の側板部とを備え、前記二枚の側板部が上板部と下板部との間に接続し、少なくとも一枚の金属内板は、上板部の内側面に設けることを特徴とする請求項１１記載の記憶装置の収納ボックス。
【請求項１３】
前記ケースは、上板部と下板部と二枚の側板部とを備え、前記二枚の側板部が上板部と下板部との間に接続し、少なくとも一枚の金属内板は、上板部の内側面及び下板部の内側面に設けることを特徴とする請求項１１記載の記憶装置の収納ボックス。
【請求項１４】
前記ケースは、上板部と下板部と二枚の側板部とを備え、前記二枚の側板部が上板部と下板部との間に接続し、少なくとも一枚の金属内板は、上板部の内側面及び二枚の側板部の内側面に設けることを特徴とする請求項１１記載の記憶装置の収納ボックス。
【請求項１５】
前記ケースの内側面にはレールガイドが設けられ、前記前蓋に案内溝が設けられ、前記案内溝が前記レールガイドに嵌合することを特徴とする請求項１１記載の記憶装置の収納ボックス。
【請求項１６】
前記ケースの内側面にはレールガイドが設けられ、前記後蓋に案内溝が設けられ、前記案内溝が前記レールガイドに嵌合することを特徴とする請求項１１記載の記憶装置の収納ボックス。
【請求項１７】
少なくとも一つの固定部材を有し、前記前蓋には少なくとも一つのサイドアームを有し、前記少なくとも一つの固定部材を少なくとも一つのサイドアームに挿入し前記記憶装置を固定することを特徴とする請求項１１記載の記憶装置の収納ボックス。
【請求項１８】
回路モジュールと少なくとも一つの固定部材を有し、前記回路モジュールが前記記憶装置に電気的に接続され、前記回路モジュールと前記記憶装置が収納空間内に収納され、前記少なくとも一つの固定部材を後蓋に挿入し前記回路モジュールに固定することを特徴とする請求項１１記載の記憶装置の収納ボックス。
【考案の詳細な説明】
【技術分野】
【０００１】
本考案は、収納ボックス及びそのボディケースに係わり、特にハードディスクドライブ或はメモリモジュールなどの装置をその内部に収納する記憶装置の収納ボックス及びそのボディケースに関わるものである。
【背景技術】
【０００２】
周知のように、記憶装置（例えば、ハードディスクドライブ或はメモリモジュール等）はその内部にたくさんの電子ファイルが格納でき、重要なコンピュータ周辺設備の一つである。記憶装置を携帯し内部に格納する電子ファイルを使用し易くさせるために、メーカーにより内部に記憶装置が収納される収納箱が開発されている。記憶装置を保護し、さらに記憶装置の外観が飾れる。
【０００３】
技術の進歩及び使用の要求に伴い、記憶装置のスピードが益々速くなり、且つ、その容量も増大する一方である。収納ボックスは記憶装置を保護する以外に、また記憶装置の運用効率及び安定性を確保する必要がある。
【０００４】
従来の記憶装置の収納ボックスは、特許文献１に掲示される「コンピュータ周辺設備の収納ボックス」のように、キャリアと上蓋を含む。このキャリア内に収納空間が形成され、記憶装置（例えば、ハードディスクドライブ）をその内部に収納させる。この上蓋がキャリアに摺接し、記憶装置の脱落を避ける。
【０００５】
前記従来の記憶装置の収納ボックスのキャリアは、放熱の機能を備えるように、アルミアロイ材料より作製することができる。この記憶装置が収納空間内に収容されると、この記憶装置の表面の金属部材（例えば、金属ケース）はキャリアに十分に接触できない。結果は、収納ボックスの放熱機能が悪く、記憶装置の運用効率が低くなる。また、この収納ボックスも電気磁気シールド機能がない、記憶装置の安定性が確保できない。また、アルミアロイ材料のコストが高く美観不足である。
【０００６】
また、この記憶装置と収納ボックスとの間に隙間が存在している。この収納ボックスが振動され或は外力により衝撃を受けると、この記憶装置も外力に影響され、その中に格納される電子ファイルが破壊されることになる。
【０００７】
以上のように、前記従来の記憶装置の収納ボックスは、実際の使用上には、不便や欠点を明らかに有しており、改良が期待されていることが分る。
【特許文献１】台湾特許第４７５７４２号
【考案の開示】
【考案が解決しようとする課題】
【０００８】
そのため、本考案の創作者は、前記欠点を改良するため、長年以来この領域で積み立てた経験により、専念な観察かつ研究をし、さらに学術理論の運用に合せ、やっと合理な設計且つ前記の欠点を有効に改良できた本考案を提案した。
【０００９】
本考案の主な目的は、放熱機能及び電気磁気シールド機能を有するようにボディケースをモジュール化させることで、このボディケース内に収容される記憶装置の運用効率を改善し、且つこの記憶装置に組み立てられる様々な回路モジュールに適応できる記憶装置の収納ボックス及びそのボディケースを提供する。
【００１０】
本考案のもう一つの目的は、ボディケースの作製をより簡単かつ美観にし、このボディケースの強度を確保し、この収納ボックスの品質を向上し並びにコストを低下させる記憶装置の収納ボックス及びそのボディケースを提供する。
【００１１】
本考案のもう一つの目的は、このボディケース内に収納される記憶装置が外力に影響されることを避けるために、ボディケースにバッファ機能を備えるようにする記憶装置の収納ボックス及びそのボディケースを提供する。
【課題を解決するための手段】
【００１２】
前記の目的を達成するために、本考案は、ケースと少なくとも一枚の金属内板、前記ケースの内部に収納空間が形成されると、前記ケースの内側面に設けられ、前記収納空間に伸びる複数の弾性フィンが設けられる少なくとも一枚の金属内板とを備える記憶装置の収納ボックスのボディケースを提供する。
【００１３】
前記の目的を達成するために、本考案は、ケースと少なくとも一枚の金属内板、前蓋と後蓋、前端及び後端に前部開口及び後部開口をそれぞれ有する収納空間が内部に形成されるケースと、前記ケースの内側面に設けられ、前記収納空間に伸びる複数の弾性フィンが設けられる少なくとも一枚の金属内板と、前記ケースの前部開口に設けられる前蓋と、前記ケースの後部開口に設けられる後蓋とを備える記憶装置の収納ボックスを提供する。
【００１４】
記憶装置が本考案の記憶装置の収納ボックスのケース内に収容されると、この少なくとも一枚の金属内板の弾性フィンが記憶装置の表面の金属部材に十分に接触し、放熱機能及び電気磁気シールド機能を有するようにし、且つ、このケース及び少なくとも一枚の金属内板のモジュール化は、この記憶装置に組み立てられる様々な回路モジュールに適応できる。
【００１５】
好ましい実施の形態では、前記ケースはプラスチック材料或はゴム材料で作製される。ケースが成形し易い材料で作製され、かつ、前記少なくとも一枚の金属内板の成形が容易であるので、前記ボディケースの作製がより簡単且つ美観になり、前記ボディケースの強度が確保できる。
【００１６】
前記少なくとも一枚の金属内板内の弾性フィンは、振動を弱めることができ、ボディケースにバッファ機能を備えるようになる。
【考案の効果】
【００１７】
本考案は、放熱機能、電気磁気シールド機能及びバッファ機能に優れ、様々な記憶装置に対応する収納ボックス及びボディケースの提供を可能にする。
【考案を実施するための最良の形態】
【００１８】
本考案が所定の目的を達成するために採用する技術手段及びその効果をさらに詳細に具体的に説明する。以下に本考案に関わる詳しい説明及び添付図面を参照することにより、深く且つ具体的な理解が得られるが、それらの添付図面が参考及び説明のみに使われ、本考案の請求範囲を狭義的に制限するものではないことは言うまでもないことである。
【００１９】
図１〜図４のように、本考案の第１の実施の形態を示す。本考案は記憶装置の収納ボックス及びそのボディケースである。記憶装置の収納ボックスは、ボディケース１と、前蓋４と、後蓋５とを含む。記憶装置の収納ボックスのボディケース１は、ケース２と少なくとも一枚の金属内板３とを含む。
【００２０】
このケース２はプラスチック材料或はゴム材料等の成形し易い材料で作製され、作製が簡単且つ美観になり、コストが低下できる。このケース２は、上板部２０と、下板部２１と、二枚の側板部２２とを備え、この二枚の側板部２２が上板部２０と下板部２１との間に接続する。このケース２の内部に収納空間２３が形成され、この収納空間２３の前端及び後端に前部開口２３１及び後部開口２３２がそれぞれ形成される。このケース２の内側面にレールガイド２３３が設けられる。レールガイド２３３はガイド機能及び構造強化機能を備える。第１の実施の形態では、このケース２の外側面にさらに複数の凹型の筋（図を示さず）を有し、これらの凹型の筋は構造強化機能及び美観の効果を備える。
【００２１】
少なくとも一枚の金属内板３は、一枚の金属板材で押し抜きより成形され、成形が容易になり且つコストを低下させる。少なくとも一枚の金属内板３は、インサート成形或は組み立ての方式で、ケース２の内側面に設けることができる。第１の実施の形態では、少なくとも一枚の金属内板３は、上板部２０の内側面に設けられる。少なくとも一枚の金属内板３は、複数の弾性フィン３０を設け、これらの弾性フィン３０は収納空間３に伸びる。これらの弾性フィン３０は、規則的に配列し、或は不規則的に配列しても良いので、異なる放熱機能や電気磁気シールド機能や強化機能及びバッファ機能を備える。
【００２２】
図５に示すように、少なくとも一枚の金属内板３の弾性フィン３０は、複数の長方形の弾性フィンを有することができる。
【００２３】
図６に示すように、少なくとも一枚の金属内板３の弾性フィン３０は、複数の三角形の弾性フィンを有することができる。
【００２４】
図５及び図６に示すように、これらの弾性フィン３０は、様々の形状を有することで、異なる放熱機能や電気磁気シールド機能や強化機能及びバッファ機能を備えるようにすることができる。そのため、これらの弾性フィン３０の形状は、前記実施の形態に限られる訳ではない。
【００２５】
前蓋４はケース２の前開口２３１に設けられる。第１の実施の形態では、前蓋４は少なくとも一つのサイドアーム４０（図１には二つのサイドアーム４０が示される）を有し、少なくとも一つのサイドアーム４０には案内溝４０１が設けられ、この案内溝４０１がケース２のレールガイド２３３に嵌合する。
【００２６】
後蓋５はケース２の後開口２３２に設けられる。第１の実施の形態では、後蓋５は案内溝５０１を設け、この案内溝５０１がケース２のレールガイド２３３に嵌合する。図３に示すように、後蓋５はさらに複数の開口５０２及び複数の放熱孔５０３が設けられる。
【００２７】
本考案の記憶装置の収納ボックスは、さらに回路モジュール６を含む。第１の実施の形態では、回路モジュール６は一枚の回路板（図を示さず）と複数の接続ポート（図を示さず）などの部材を含み、記憶装置９（例えば、ハードディスクドライブ或はメモリモジュール等）に装着、並びに記憶装置９に電気的に接続し、外部電子設備（例えば、コンピュータなど）に接続する。本考案の記憶装置の収納ボックスは、さらに少なくとも一つの固定部材４１と少なくとも一つの固定部材５１を含む。
【００２８】
記憶装置９を本考案の記憶装置の収納ボックスのケース２の内部に装着しようとするときに、先ず、回路モジュール６を記憶装置９に装着し、且つ記憶装置９に電気的に接続し、少なくとも一つの固定部材４１は前蓋４の少なくとも一つのサイドアーム４０に挿入し記憶装置９を固定する。このようにして、記憶装置９と回路モジュール６と前蓋４とが一体に組み立てられる。
【００２９】
次に、回路モジュール６と記憶装置９とがケース２の収納空間２３内に収納され、ケース２のレールガイド２３３が前蓋４の案内溝４０１を案内し、前蓋４がケース２の前部開口２３１に取り付けられるようになる。図４に示すように、この少なくとも一枚の金属内板３の弾性フィン３０が記憶装置９の表面の金属部材（例えば、金属ケース）に十分に弾性接触し、放熱機能及び電気磁気シールド機能を供給する。
【００３０】
続いて、少なくとも一つの固定部材５１は後蓋５に挿入し回路モジュール６に固定する。図３に示すように、回路モジュール６の接続ポートなどの部材が、後蓋５の開口５０２にそれぞれ対応する。これらの放熱孔５０３が空気を自然に対流させ、記憶装置９と回路モジュール６の温度を降下できる。
【００３１】
これらの弾性フィン３０が広く多数あり、総面積が大きいので、少なくとも一枚の金属内板３が良い放熱機能及び電気磁気シールド機能を有し、記憶装置９の運用効率及び安定性が改善できる。
【００３２】
ケース２と少なくとも一枚の金属内板３のモジュール化で形成するボディケース１は、記憶装置９に取り付ける回路モジュール６と個別にするので、ボディケース１は様々の回路モジュール６に適応できる。
【００３３】
本考案の記憶装置の収納ボックスが振動され或は外力の衝撃を受けるときに、少なくとも一枚の金属内板３の弾性フィン３０が振動を弱めることができるので、記憶装置９に格納される電子ファイルが破壊されることが避けられる。
【００３４】
本考案の記憶装置の収納ボックスは、さらにファン（図略）を有し、空気を強制的に対流させ、放熱効果を向上できる。
【００３５】
図７は、本考案の第２の実施の形態を示す。第２の実施の形態と第１の実施の形態との違いは、少なくとも一枚の金属内板３である。第２の実施の形態では、少なくとも一枚の金属内板３が、上板部２０の内側面および下板部２１の内側面に設けられ、これらの弾性フィン３０が、記憶装置９の金属ケースの上面及び底面と記憶装置９の底面に設けられる回路板（図略）のグランド金属部材に接触するようになる。
【００３６】
図８は、本考案の第３の実施の形態を示す。第３の実施の形態と第１の実施の形態との違いは、少なくとも一枚の金属内板３である。第３の実施の形態では、少なくとも一枚の金属内板３が、上板部２０の内側面および二枚の側板部２２の内側面に設けられ、これらの弾性フィン３０が、記憶装置９の金属ケースの上面及び二つの側面に接触するようになる。
【００３７】
図１、図７及び図８から分かるように、少なくとも一枚の金属内板３の位置が、記憶装置９の表面の金属部材によって設計され、これらの弾性フィン３０の形状及び配列に合わせて、異なる放熱機能や電気磁気シールド機能や構造強化機能及びバッファ機能を備えるようにする。勿論、これらの少なくとも一枚の金属内板３は、一体的に接続される構造であっても良い。
【００３８】
そのため、本考案の記憶装置の収納ボックス及びそのボディケースは、以下の特徴を備える。
１．この少なくとも一枚の金属内板の弾性フィンが記憶装置の表面の金属部材に十分に弾性接触することで、放熱機能及び電気磁気シールド機能を有し、記憶装置の運用効率及び安定性が改善できる。
２．このケース及び少なくとも一枚の金属内板のモジュール化は、この記憶装置に組み立てられる様々な回路モジュールに適応できるので、このボディケースの運用をより広くさせることができる。
３．このケースは成形し易い材料で作製され、且つ少なくとも一枚の金属内板の成形が容易であるため、ボディケースの作製がより簡単且つ美観になり、またこのボディケースの強度を確保し、この収納ボックスの品質を向上し並びにコストが低下できる。
４．少なくとも一枚の金属内板の弾性フィンが振動を弱めることができるので、ボディケースがバッファ機能を備えるようにし、記憶装置が外力に影響されることが避けられる。
【００３９】
しかし、前記に開示されたそれぞれの具体的な構成は、単に本考案の実施可能な実施の形態に過ぎず、本考案の特徴を制限するものではなく、当該技術分野における通常の知識を有する専門家が本考案の技術分野の中で、適当に変更や修飾などを実施できるが、それらの変形が本考案の請求の範囲内に含まれることは言うまでもないことである。
【図面の簡単な説明】
【００４０】
【図１】本考案の記憶装置の収納ボックスの第１の実施の形態の分解斜視図である。
【図２】本考案の記憶装置の収納ボックスの第１の実施の形態の組合せ斜視図である。
【図３】本考案の記憶装置の収納ボックスの第１の実施の形態の他一つの組合せ斜視図である。
【図４】記憶装置が本考案の記憶装置の収納ボックスに収納される第１の実施の形態の部分断面側面図である。
【図５】本考案の記憶装置の収納ボックスの金属内板の長方形の弾性フィンを示す図である。
【図６】本考案の記憶装置の収納ボックスの金属内板の三角形の弾性フィンを示す図である。
【図７】本考案の記憶装置の収納ボックスの第２の実施の形態の分解斜視図である。
【図８】本考案の記憶装置の収納ボックスの第３の実施の形態の分解斜視図である。
【符号の説明】
【００４１】
１  ボディケース
２  ケース
３  金属内板
４  前蓋
５  後蓋
６  回路モジュール
９  記憶装置
２０  上板部
２１  下板部
２２  側板部
２３  収納空間
３０  弾性フィン
４０  サイドアーム
４１  固定部材
５１  固定部材
２３１  前部開口
２３２  後部開口
２３３  レールガイド
４０１  案内溝
５０１  案内溝
５０２  開口
５０３  放熱孔
【図１】
0003114924.tif 000003
【図２】
0003114924.tif 000004
【図３】
0003114924.tif 000005
【図４】
0003114924.tif 000006
【図５】
0003114924.tif 000007
【図６】
0003114924.tif 000008
【図７】
0003114924.tif 000009
【図８】
0003114924.tif 000010